(57)【要約】【課題】使用中の体の動きがあっても捩れることなく、宝石などの装飾片が微妙に揺動して、美しく輝くペンダントを提供すること。【解決手段】上方にチェーン連結部１３を有した台座１１の背面に胸元と面接触する接触面を備えた定着部１５を形成し、正面略中央には、先端に吊下孔１８と後方に湾曲部１９を設けた吊下部１７を形成し、該吊下孔１８には、宝石３１を係止環３５により取り付けた装飾片３０を揺動可能に吊下げる。【選択図】図４
2005319324.tif 000002
【特許請求の範囲】
【請求項１】
上方にチェーン連結部を有した台座の背面に胸元と面接触する接触面を備えた定着部を有し、該台座の正面略中央には隆起状の吊下部を形成すると共に前記吊下部の先端には吊下孔を形成し、該吊下孔先端には装飾片を揺動可能に吊下げたことを特徴とする装身具用ペンダント。
【請求項２】
前記装飾片は、宝石と、該宝石のガードル部に巻装された係止環と該係止環の上部に取り付けた輪環からなり、該輪環を前記吊下孔と係合して、前記台座に該装飾片を揺動可能に吊下げたことを特徴とする請求項１に記載の装身具用ペンダント。
【請求項３】
前記装飾片は、宝石と、該宝石を支持する複数本の爪部及び該宝石のパビリオンに巻装する係止環と該係止環の上部に取り付けた輪環からなり、該輪環を前記吊下孔と係合して、前記台座に該装飾片を揺動可能に吊下げたことを特徴とする請求項１に記載の装身具用ペンダント。
【請求項４】
前記台座は、金、銀、プラチナ及び真鍮からなる群より選ばれた金属を原材料として形成したものであり、かつ前記宝石は、ダイアモンド、エメラルド及びルビーからなる群より選ばれたものであることを特徴とする請求項１から３のいずれかに記載の装身具用ペンダント。
【発明の詳細な説明】
【技術分野】
【０００１】
本発明は、宝石などを取りつけた装飾片を吊下げて形成する装身具用ペンダントに関する。
【背景技術】
【０００２】
従来より装身具用ペンダントには、多種多様のものが有り、その形もさまざまであるが、通常、首に介装するためのネックレス用チェーンと、ダイアモンドなどの宝石を取りつけた装飾片とからなり、輪環を介して装飾片をチェーンに吊下げるか、あるいはチェーンの両端を装飾片に直接固定するタイプが存在する。
【０００３】
例えば、図１に示されるのは、装飾片２をネックレス用チェーン５に吊下げた装身具用ペンダント１で、正面から見た宝石２ａを大きくかつ美しく輝いて見せるために、宝石２ａの周辺ガードル部（図示せず）を筒状の止金具４により巻装し、該止金具４の上部には輪環３を取付けて、該輪環３内にネックレス用チェーン５を挿通して遊動可能に形成したものである。
【発明の開示】
【発明が解決しようとする課題】
【０００４】
前記した装身具用ペンダント１は、使用中に体が動くことにより装飾片２が揺動し、宝石２ａからの反射光が微妙に変化して、宝石２ａを美しく輝かせることを目的とするが、装飾片２は胸元Ａの肌に直接当接しているため、体の揺れがあっても宝石２ａ自体が微妙に揺動することはあまりない。すなわち、ペンダント自体が捩れたり、装飾片２が左右に移動したり、さらには、裏返しとなったりするようなことはあっても、宝石２ａの本当の美しい反射光を具現することができない。したがって、装身具用ペンダントとしての魅力を十分に発揮できないという問題点を有している。
【０００５】
本発明は、使用中の体の動きにより装飾片が微妙に揺動して、装飾片に取り付けられた宝石などが十分に光り輝くことのできるペンダントを提供することを目的とする。  また、体の動きがあっても、ペンダント自体が捩れたり、装飾片が左右に移動したり、さらには、裏返しとなるようなことがなく、常に宝石などを正面に向かせて使用することができる装身具用ペンダントを提供することを目的とする。
【課題を解決するための手段】
【０００６】
本発明は上記課題を解決するために、請求項１に記載された発明は、上方にチェーン連結部を有した台座の背面に胸元と面接触する接触面を備えた定着部を有し、該台座の正面略中央には隆起状の吊下部を形成すると共に前記吊下部の先端には吊下孔を形成し、該吊下孔先端には装飾片を揺動可能に吊下げた装身具用ペンダントであることを特徴とする。請求項２に記載された発明は、前記装飾片は、宝石と、該宝石のガードル部に巻装された係止環と該係止環の上部に取り付けた輪環からなり、該輪環を前記吊下孔と係合して、前記台座に該装飾片を揺動可能に吊下げた請求項１記載の装身具用ペンダントであることを特徴とする。請求項３に記載された発明は、前記装飾片は、宝石と該宝石を支持する複数本の爪部及び該宝石のパビリオンに巻装する係止環と該係止環の上部に取り付けた輪環からなり、該輪環を前記吊下孔と係合して、前記台座に該装飾片を揺動可能に吊下げた請求項１記載の装身具用ペンダントであることを特徴とする。請求項４に記載された発明は、前記台座は、金、銀、プラチナ及び真鍮からなる群より選ばれた金属を原材料として形成したものであり、かつ前記宝石は、ダイアモンド、エメラルド及びルビーからなる群より選ばれたものであることを特徴とする請求項１から３のいずれかに記載の装身具用ペンダントであることを特徴とする。
【発明の効果】
【０００７】
本発明に係る装身具用ペンダントによれば、平坦に形成された定着部を有する台座は胸元と面接触させることができ、使用中の台座は安定して装飾片を常に正面に向かせて使用することができる。また、台座の吊下部が先端で隆起状に形成されていること、かつ下部後方には湾曲部が形成されているので、装飾片が前後左右に自由に揺動するので、宝石がより反射光を放って美しく輝くことができる。さらに、爪部により宝石を取り付ける装飾片においても、宝石のパピリオン部を係止環が巻装し、かつ上部位置に爪部を設けないことで、上下方向の台座と装飾片の間の距離を短くすることができ、全体の寸法でもバランスが取れた美しい装身具用ペンダントを形成することができる。加えて、チェーン連結部の両側部にネックレス用チェーンを固定するタイプの装身具用ペンダントにあっては、さらに台座が安定するので、装飾片の微妙な揺動をより表現することができる。
【発明を実施するための最良の形態】
【０００８】
以下、本発明にかかる装身具用ペンダントの実施形態を図面により説明する。
図３は本発明の第１の実施形態を示すもので、第１台座に第１装飾片を取付けた第１装身具用ペンダントの正面図、図４はその側面図である。
【０００９】
第１装身具用ペンダント１０は、例えば、金、銀、プラチナなどの貴金属や真鍮などの金属を原材料として形成した台座１１と、例えば、ダイアモンド、エメラルド、ルビーなどの宝石を取り付けた第１装飾片３０と、該装飾片３０を胸元Ａへ吊るすために、前記同様の貴金属などを原材料として形成したネックレス用チェーン６０とから構成される（図１３参照）。
【００１０】
第１装身具用ペンダント１０の台座１１は、図３に示すごとく、正面から見て全体を略縦長の逆三角形状に形成され、幅広の頭部１２に設けたチェーン連結部１３には幅方向に貫通孔１３が形成され、該貫通孔１３にはネックレス用チェーン６０が挿通されて使用される。チェーン連結部１３の貫通孔を大きくする場合には、より太径のネックレス用チェーンや、複数本の細径のネックレス用チェーンを編んで形成したもの、真珠ネックレスなどを挿通することもできる。
【００１１】
台座１１は、逆三角形状に形成されていることにより、吊下げられる装飾片３０の寸法Ｌと上下方向の全体の長さＸ、横幅Ｙとのバランス保つことができ、装飾片３０が吊り下げられても、安定して常に下方に位置させることができる（図８参照）。
【００１２】
１５は、図４に示すごとく、台座１１の背面に設けた平坦な定着部１５で、該定着部１５を側面から見た場合には上下方向に緩やかなテーパー状に形成され、使用時においては胸元の曲線Ａと一致するため、定着部１５全体と胸元Ａとを広く面接触させることができる。したがって、使用中に体の動きがあっても、台座１１は安定し、装飾片３０を常に正面に向かせて使用することができる（図１４参照）。
【００１３】
１７は、前記台座１１の正面略中央に設けた吊下部で、該吊下部の先端部１７ａには装飾片３０の輪環３６を挿通させる吊下孔１８が形成されている。この吊下部１７は、側面から見て先端部１７ａを最高位の高さになるように頭部１２から先端部１７ａまで隆起状に形成されている。一方、吊下部１７には、先端部１７ａより下部は後方に窪んで湾曲部１９が形成されている。
【００１４】
したがって、装飾片４０が吊下孔１８に吊下げられても、台座１１の定着部１５の一端より一定の距離Ｚで確保されると共に、装飾片３０との間に空間部Ｓが形成されているので、装飾片４０が前後左右に自由に揺動し、装飾片４０の一部が台座１１や胸元Ａに当ることはない。
【００１５】
第１装飾片３０は、図３、４に示すごとく、宝石３１の周辺ガードル部３２に巻装する係止環３５と、該係止環３５の上部に輪環３６を取付けて形成される。この輪環３６を前記台座１１の吊下孔１８に挿通、係合し、第１装飾片３０を前後左右に揺動可能に吊下げる。
【００１６】
第１装飾片３０を輪環３６により吊下げることにより、吊下孔１８との摩擦抵抗を少なくすることができるので、装飾片３０は、台座１１に対し前後左右に自由に搖動し、宝石３１を美しく輝かせることができる。
【００１７】
図５は本発明の第２の実施形態を示すもので、第１台座に第２装飾片を取付けた第２装身具用ペンダントの正面図、図６はその側面図、図７はその背面図である。また、図８は第２装身具用ペンダントの装飾片の揺動状態を示す正面図、図９はその中央横断面図である。
【００１８】
第２装身具用ペンダント１０Ａの台座は、第１装身具用ペンダントにおける第１台座と同一であるので、ここでは説明を省略する。
【００１９】
第２装飾片４０は、図５、６、７に示すごとく、宝石４１に巻装する係止環４５と、複数本の爪部４６で宝石４１を挟持して固定し、該係止環４５の上部に取り付けた輪環４７を台座１１の吊下孔１８に挿通、係合し、第２装飾片３０を前後左右に揺動可能に吊下げるものである。
【００２０】
この第２装飾片４０において、係止環４５は宝石４１のガードル部４３に巻装するのではなく、より下部で略円錐形状のパピリオン部４２に巻装することが望ましい。
また、爪部４６は、例えば、ガードル部４３の下端と左右斜め上方両側の３点留め（あるいは５点留め）とし、ガードル部４３の上端には爪部５６を設けないことが望ましい。
【００２１】
かかる方法によれば、宝石４１をより上位に位置させて、吊下部１７から宝石４１の下端までの距離Ｌ（図８参照）を短くすることができる。したがって、第２装飾片４０を台座１１の吊下部１７に吊下げた場合でも、装身具用ペンダント全体の上下方向の長さＸが悠長にならず、全体的にバランスの取れた形のよい装身具用ペンダントとすることができる。
【００２２】
図１０は本発明の第３の実施形態を示すもので、第１台座に第３装飾片を取付けた第３装身具用ペンダントの正面図である。第３装身具用ペンダント１０Ｂの台座は、第１装身具用ペンダントにおける第１台座と同一であるので、ここでは説明を省略する。
【００２３】
第３装飾片５０は、図１０に示すごとく、宝石５１をハート型にカットし（いわゆるハートシェイプカット）、該宝石のパピリオン部に巻装する係止環と（図示せず）、宝石５１を支持する複数本の爪部５６でガードル部５３を挟持して固定し、該係止環の上部に取り付けた輪環５７を吊下孔１８に挿通、係合し、第３装飾片５０を台座１１に前後左右に揺動可能に吊下げるものである。
【００２４】
この第３装飾片５０においても、宝石５１のパピリオン部を係止環にて巻装する点、爪部５６を３本として上端に設けない点は、前記第２装飾片４０と同じである。
【００２５】
図１１は、本発明の第４の実施形態を示すもので、第２台座に第２装飾片を取付けた第４装身具用ペンダント２０の正面図、図１２は、図１１のＥ―Ｅ線断面図である。
【００２６】
第４装身具用ペンダント２０は、図１１に示すごとく、正面から見て台座２１の上方両側部２２を翼形に広げてチェーン連結部２３を形成し、該チェーン連結部２３にネックレス用チェーンの両端をろう付けなどで固定して使用するものである（図示せず）。この第４装身具用ペンダント２０にあっては、チェーン連結部２３が左右に大きく広げられ、さらに使用時にはネックレス用チェーンも胸元に接触する。したがって、使用中に体の動きがあっても、台座２１は確実に安定し、装飾片４０を常に正面に向かせて使用することができる。
【００２７】
２４は、図１２に示すごとく、台座２１の背面に設けた平坦な定着部で、該定着部２４を側面から見た場合には上下方向に緩やかなテーパー状に形成され、使用時においては胸元の曲線Ａと一致するため、定着部２４全体と胸元Ａとを広く面接触させることができる点は、前記までの実施例と略同様である。
【００２８】
２５は、前記台座２１の正面略中央に設けた吊下部で、該吊下部２５の先端部２５ａには装飾片４０の輪環４７を挿通させる吊下孔２６が形成され、吊下部２５は、側面から見て先端部２５ａを最高位の高さになるように隆起状に形成されている。さらに、吊下部２５の下部は後方に窪んで湾曲部２８が形成され、装飾片４０を吊下げた場合にも空間部Ｓが形成され、該装飾片４０が前後方向に揺動した際でも、その一部が台座２１に当らない点も、前記までの実施例と略同様である。  
【００２９】
なお、本実施例における第２台座に、第１装飾片、第３装飾片を吊下げることができるのはいうまでもない。
【００３０】
以上の如く、本発明を図示したいくつかの実施形態によって説明したが、それらを以って本発明を前記実施形態のみに限定するものではなく、この発明の精神を逸脱しない限り種々の改変を加えて、多種多様の変更ができることはいうまでもない。
【００３１】
例えば、本発明に係る装身具用ペンダントにおいて装飾片に取りつけられる宝石は、その素材や形状に特に限定はない。例えば、ダイアモンド以外のルビーまたはエメラルドなどのファセットカットされた宝石やオパールなどのカボションカットされた半貴石、真珠などのラウンドシェイプ、ミラーボールなどの貴金属を使用することもできる。
【図面の簡単な説明】
【００３２】
【図１】従来の装身具用ペンダントの使用状態を示す正面図である。
【図２】従来の装身具用ペンダントの使用状態を示す側面拡大図である。
【図３】本発明の第１装身具用ペンダントの正面図である。
【図４】第１装身具用ペンダントの側面図である。
【図５】本発明の第２装身具用ペンダントの正面図である。
【図６】第２装身具用ペンダントの側面図である。
【図７】第２装身具用ペンダントの背面図である。
【図８】第２装身具用ペンダントの全体のバランスと装飾片の揺動状態を示す正面図である。
【図９】第２装身具用ペンダントの中央横断面図である。
【図１０】本発明の第３装身具用ペンダントの正面図である。
【図１１】本発明の第４装身具用ペンダントの正面図である。
【図１２】図１１のＥ―Ｅ線断面図である。
【図１３】第２装身具用ペンダントの使用状態を示す参考図である。
【図１４】第２装身具用ペンダントの使用状態を示す拡大図である。
【符号の説明】
【００３３】
１    装身具用ペンダント
２    装飾片
２ａ  宝石
３    輪環
４    止金具
５    ネックレス用チェーン
１０    第１装身具用ペンダント
１０Ａ    第２装身具用ペンダント
１０Ｂ    第３装身具用ペンダント
１１    台座
１２    頭部
１３    チェーン連結部
１５    定着部
１７    吊下部
１７ａ  先端部
１８    吊下孔    
１９    湾曲部
２０    第２装身具用ペンダント
２１    台座
２２    頭部
２３    チェーン連結部
２４    定着部
２５    吊下部
２５ａ  先端部
２６    吊下孔    
２８    湾曲部
３０    第１装飾片
３１    宝石
３２    ガードル部
３５    係止環
３６    輪環
４０    第２装飾片
４１    宝石
４２    パビリオン部
４３    ガードル部
４５    係止環
４６    爪部
５０    第３装飾片
５１    宝石
５６    爪部
５７    輪環
６０    ネックレス用チェーン
【図１】
2005319324.tif 000003
【図２】
2005319324.tif 000004
【図３】
2005319324.tif 000005
【図４】
2005319324.tif 000006
【図５】
2005319324.tif 000007
【図６】
2005319324.tif 000008
【図７】
2005319324.tif 000009
【図８】
2005319324.tif 000010
【図９】
2005319324.tif 000011
【図１０】
2005319324.tif 000012
【図１１】
2005319324.tif 000013
【図１２】
2005319324.tif 000014
【図１３】
2005319324.tif 000015
【図１４】
2005319324.tif 000016